(57)【特許請求の範囲】
【請求項１】
建物開口部に配置された既設枠に重ねて配置される改装用建具であって、
室内側に配置される室内側枠と、
室外側に配置される室外側枠と、
前記室内側枠と前記室外側枠との間に配置され、前記室内側枠と前記室外側枠とを連結するブリッジ材と、
前記室内側枠を建物の躯体に固定する固定部材と、
前記室内側枠と前記室外側枠とを連結する連結金具と、
前記室内側枠と前記連結金具との間に配置される断熱部材と、を備え、
前記断熱部材は、前記ブリッジ材で連結された前記室内側枠及び前記室外側枠で構成される改装用縦枠における垂直方向の一端から他端にわたって前記ブリッジ材に沿って上下に延びて前記連結金具が配置されていない領域にも及んで配置され、且つ、前記断熱部材の見込み方向の寸法は、連結金具が配置されている領域では連結金具とほぼ同等となるように当該領域外よりも大きく設定されている
改装用建具。
【請求項２】
前記連結金具は、前記室内側枠及び前記室外側枠における前記既設枠側に配置される請求項１に記載の改装用建具。
【請求項３】
前記断熱部材は、加熱発泡材により構成される請求項１又は２に記載の改装用建具。
【請求項４】
前記室外側枠の内部に、前記連結金具と前記断熱部材とを前記室外側枠に取り付けるためのネジ部材が螺合するネジ用板部材が配置されている請求項１から３の何れか一項に記載の改装用建具。
【発明の詳細な説明】
【技術分野】
【０００１】
本発明は、改装用建具に関する。
【背景技術】
【０００２】
従来、いわゆる改装（リフォーム）によって、既設の建具を利用して簡易で安価に建物の性能を向上させることが行われている。例えば、ドアや窓等の改装は、既設枠の内側に新設枠（改装用枠）を重ねて配置することにより行われる。
【０００３】
ところで近年では、省エネや結露防止等の観点から、ドアや窓等の建具の断熱性能を向上させる改装が望まれている。これに対して、互いに離間する室内側に配置される室内側枠と室外側に配置される室外側枠とを有するとともに、熱伝導率が低い樹脂で構成されるブリッジ材により、これら室内側枠と室外側枠とを連結してなる新設枠が提案されている（例えば、特許文献１参照）。この新設枠によれば、ブリッジ材によって室内側枠と室外側枠との間での熱伝導が遮断されるため、優れた断熱性能が得られる。
【先行技術文献】
【特許文献】
【０００４】
【特許文献１】特開２０１４−５５４８１号公報
【発明の概要】
【発明が解決しようとする課題】
【０００５】
しかしながら、特許文献１に開示された新設枠では、火災時に、樹脂で構成されたブリッジ材が溶融するおそれがある。その場合には、室内側枠と室外側枠とが分離し、防火性能が大きく低下する。特に、室外側で火災が生じた場合には、室外側枠が分離して脱落するおそれがある。
【０００６】
本発明は上記に鑑みてなされたものであり、その目的は、火災でブリッジ材が溶融した場合であっても、室内側枠と室外側枠との分離を抑制可能な改装用建具を提供することにある。
【課題を解決するための手段】
【０００７】
上記目的を達成するため本発明は、建物開口部（例えば、後述の開口２）に配置された既設枠（例えば、後述の既設枠体３０）に重ねて配置される改装用建具（例えば、後述の改装用枠体１０、改装用縦枠１０ｃ、１０ｄ）であって、室内側に配置される室内側枠（例えば、後述の室内側枠１１０ｃ、１１０ｄ）と、室外側に配置される室外側枠（例えば、後述の室外側枠１２０ｃ、１２０ｄ）と、前記室内側枠と前記室外側枠との間に配置され、前記室内側枠と前記室外側枠とを連結するブリッジ材（例えば、後述のブリッジ材１３１ｃ、１３２ｃ、１３１ｄ、１３２ｄ）と、前記室内側枠を建物（例えば、後述の建物Ｈ）の躯体（例えば、後述の躯体２０）に固定する固定部材（例えば、後述の固定部材１４０ｃ、１４０ｄ）と、前記室内側枠と前記室外側枠とを連結する連結金具（例えば、後述の連結金具１５１ｃ、１５１ｄ、１５２ｃ、１５２ｄ）と、を備える改装用建具を提供する。
【０００８】
前記連結金具は、前記室内側枠及び前記室外側枠における前記既設枠側に配置されることが好ましい。
【０００９】
また改装用建具は、前記室内側枠と前記連結金具との間に配置される断熱部材（例えば、後述の断熱部材１６０ｃ、１６０ｄ）をさらに備えることが好ましい。
【００１０】
前記断熱部材は、加熱発泡材により構成されることが好ましい。
【００１１】
前記断熱部材は、加熱発泡材により構成されかつ前記ブリッジ材に沿って配置されることが好ましい。
【発明の効果】
【００１２】
本発明によれば、火災でブリッジ材が溶融した場合であっても、室内側枠と室外側枠との分離を抑制可能な改装用建具を提供できる。
【図面の簡単な説明】
【００１３】
【図１】本発明の一実施形態に係る改装用枠体の正面図である。
【図２】図１におけるＡ−Ａ縦断面図である。
【図３】図１におけるＢ−Ｂ横断面図である。
【図４】上記実施形態に係る改装用枠体の構成を説明するための図であり、（ａ）が改装用枠体を構成する改装用縦枠の正面図であり、（ｂ）が改装用枠体を構成する改装用縦枠の外側面図である。
【図５】上記実施形態に係る改装用枠体が既設枠体に取り付けられた状態を示す横断面図である。
【発明を実施するための形態】
【００１４】
以下、本発明の一実施形態について、図面を参照しながら詳しく説明する。具体的には、図１から図５を参照して、本実施形態に係る改装用枠体（改装用建具）について説明する。
【００１５】
ここで、図１は、本実施形態に係る改装用枠体の正面図である。図２は、図１におけるＡ−Ａ縦断面図である。図３は、図１におけるＢ−Ｂ横断面図である。図４は、本実施形態に係る改装用枠体の構成を説明するための図であり、（ａ）が改装用枠体を構成する改装用縦枠の正面図であり、（ｂ）が改装用枠体を構成する改装用縦枠の外側面図である。図５は、本実施形態に係る改装用枠体が既設枠体に取り付けられた状態を示す横断面図である。
【００１６】
図１に示すように、建物Ｈには、建具としてのドア１が取り付けられている。ドア１は、建物Ｈに形成された開口１２に取り付けられている。開口１２は、後述する既設枠体３０により形成される開口である。また、既設枠体３０は、建物Ｈの躯体２０（例えば、梁部材、柱部材、床部）により囲まれて形成された開口２（建物開口部）に取り付けられている。
【００１７】
ドア１は、ドア本体３と、改装用枠体１０（改装用建具）と、を備える。
ドア本体３は、改装用枠体１０における内側面側に配置される。ドア本体３は、改装用枠体１０により形成される開口１５に配置される。ドア本体３は、第１ドア本体３ａと、第２ドア本体３ｂとを有する親子ドアである。
【００１８】
第１ドア本体３ａは、後述する改装用縦枠１０ｃ（図１において右側）に、上下２つの丁番４ａにより開閉可能に連結される。第１ドア本体３ａは、室外側に取り付けられたシリンダー錠６及び取手７を有する。
第２ドア本体３ｂは、後述する改装用縦枠１０ｄ（図１において左側）に、上下２つの丁番４ｂにより開閉可能に連結される。
【００１９】
改装用枠体１０は、建物Ｈに形成された開口１２の内側面に配置される。具体的には、改装用枠体１０は、既設枠体３０により形成された長方形状の開口１２における外縁内側に沿って配置される。この改装用枠体１０は、建物Ｈに既に取り付けられている既設枠体３０により形成された開口１２の内側に重ねて配置されるリフォーム用の改装用建具である。即ち、改装用枠体１０は、建物Ｈの躯体２０（例えば、後述する梁部材や柱部材）に固定された既設枠体３０を取り外すことなく、取り付けられる。
【００２０】
改装用枠体１０は、改装用横枠１０ａ、１０ｂと、改装用縦枠１０ｃ、１０ｄと、を有する。改装用横枠１０ａ、１０ｂと、改装用縦枠１０ｃ、１０ｄは、中空状のアルミニウム製押出し成形部材で構成される。ここで、改装用横枠１０ａ及び改装用縦枠１０ｃ、１０ｄそれぞれは、室内側枠１１０ａ、１１０ｃ、１１０ｄと、室外側枠１２０ａ、１２０ｃ、１２０ｄと、ブリッジ材１３１ａ、１３１ｃ、１３１ｄ、１３２ａ、１３２ｃ、１３２ｄと、を備える。また、改装用縦枠１０ｃ、１０ｄそれぞれは、固定部材１４０ｃ、１４０ｄと、連結金具１５１ｃ、１５２ｃ、１５１ｄ、１５２ｄと、をさらに備える。
以下、改装用横枠１０ａ、１０ｂ及び改装用縦枠１０ｃ、１０ｄについて、それぞれ詳述する。
【００２１】
図２に示すように、改装用横枠１０ａは、改装用枠体１０における垂直方向上側に配置される。改装用横枠１０ａは、水平方向に沿って配置される。改装用横枠１０ａは、開口１２における上辺を構成するように配置される。改装用横枠１０ａは、既設枠体３０における垂直方向上側に配置される既設横枠の垂直方向下側に重ねて配置される。改装用横枠１０ａは、既設横枠や躯体２０（例えば、梁部材）に固定される。
【００２２】
改装用横枠１０ａは、室内側枠１１０ａと、室外側枠１２０ａと、ブリッジ材１３１ａ、１３２ａと、断熱部材１６０ａと、を有する。
室内側枠１１０ａは、室内側に配置される新設枠である。室内側枠１１０ａは、垂直方向上側において水平方向に沿って配置される中空の部材である。室内側枠１１０ａは、室外側枠１２０ａと離間して配置されるとともに、ブリッジ材１３１ａ、１３２ａにより連結された状態で配置される。
室内側枠１１０ａには、その下端から下方に延出する戸当たり１１１ａと、戸当たり１１１ａの室外側に取り付けられた気密材１１２ａが設けられている。この気密材１１２ａにより、ドア１の気密性が確保される。
【００２３】
室外側枠１２０ａは、室外側に配置される新設枠である。室外側枠１２０ａは、垂直方向上側において水平方向に沿って配置される中空の部材である。室外側枠１２０ａは、室内側枠１１０ａと離間して配置されるとともに、ブリッジ材１３１ａ、１３２ａにより連結された状態で配置される。なお、室外側枠１２０ａは、室内側枠１１０ａと比べて見込み方向（図２に置いて左右方向）の寸法がより大きく設定されており、より大きな中空体で構成される。
【００２４】
ブリッジ材１３１ａ、１３２ａは、室内側枠１１０ａと室外側枠１２０ａとの間に配置され、室内側枠１１０ａと室外側枠１２０ａとを連結する。ブリッジ材１３１ａ、１３２ａは、室内側枠１１０ａと室外側枠１２０ａとを互いが離間した状態で連結する。これにより、ドア１（改装用枠体１０）は、優れた断熱構造（断熱機能）を有する。これらブリッジ材１３１ａ、１３２ａは、熱伝導率の低い材料により構成され、例えば、樹脂やゴムにより構成される。
【００２５】
断熱部材１６０ａは、改装用横枠１０ａにおける垂直方向上面に載置される。断熱部材１６０ａは、改装用横枠１０ａと既設横枠との間に配置される。断熱部材１６０ａは、室内側枠１１０ａから室外側枠１２０ａにわたって配置される。即ち、断熱部材１６０ａは、室内側枠１１０ａと室外側枠１２０ａとの間の隙間を覆うように、ブリッジ材１３１ａ、１３２ａに沿って配置されている。なお、本実施形態において、断熱部材１６０ａは、加熱発泡材で構成される。
【００２６】
改装用横枠１０ｂは、改装用枠体１０における垂直方向下側に配置される。改装用横枠１０ｂは、水平方向に沿って配置される。改装用横枠１０ｂは、開口１２における下辺を構成するように配置される。改装用横枠１０ｂは、既設枠体３０における垂直方向下側に配置される既設横枠の垂直方向上側に重ねて配置される。改装用横枠１０ｂは、既設横枠や躯体２０（例えば、床部）に固定される。
改装用横枠１０ｂの室内側には、上方に延出する戸当たり１１ｂと、戸当たり１１ｂの室外側に取り付けられた気密材１２ｂが設けられている。この気密材１２ｂにより、ドア１の気密性が確保される。
【００２７】
図３に示すように、改装用縦枠１０ｃ、１０ｄそれぞれは、改装用枠体１０における水平方向外側に配置されるとともに、垂直方向に沿って配置される。改装用縦枠１０ｃ、１０ｄそれぞれは、開口１２における左右の辺を構成し、互いに離間するとともに平行に配置される。また、改装用縦枠１０ｃ、１０ｄそれぞれは、既設枠体における水平方向外側に配置される既設横枠の水平方向内側に重ねて配置される。これら改装用縦枠１０ｃ、１０ｄは、既設縦枠や躯体２０（例えば、後述の柱部材２０１、２０２）に固定される。
【００２８】
図３から図５に示すように、改装用縦枠１０ｃ、１０ｄそれぞれは、室内側枠１１０ｃ、１１０ｄと、室外側枠１２０ｃ、１２０ｄと、ブリッジ材１３１ｃ、１３１ｄ、１３２ｃ、１３２ｄと、固定部材１４０ｃ、１４０ｄと、連結金具１５１ｃ、１５２ｃ、１５１ｄ、１５２ｄと、断熱部材１６０ｃ、１６０ｄと、ネジ用板部材１７１ｃ、１７１ｄ、１７２ｃ、１７２ｄと、を備える。
【００２９】
室内側枠１１０ｃ、１１０ｄそれぞれは、室内側に配置される新設枠である。室内側枠１１０ｃ、１１０ｄそれぞれは、水平方向外側において垂直方向に沿って配置される中空の部材である。室内側枠１１０ｃ、１１０ｄそれぞれは、室外側枠１２０ｃ、１２０ｄそれぞれと離間して配置されるとともに、ブリッジ材１３１ｃ、１３２ｃ、１３１ｄ、１３２ｄにより連結された状態で配置される。また、室内側枠１１０ｃ、１１０ｄそれぞれは、連結金具１５１ｃ、１５２ｃ、１５１ｄ、１５２ｄにより、室外側枠１２０ｃ、１２０ｄそれぞれと連結される。これら室内側枠１１０ｃ、１１０ｄそれぞれは、固定部材１４０ｃ、１４０ｄにより、躯体２０としての柱部材２０１、２０２に固定される。
【００３０】
室内側枠１１０ｃ、１１０ｄそれぞれには、その室外側における内側面から見付方向内側に延出する戸当たり１１１ｃ、１１１ｄと、戸当たり１１１ｃ、１１１ｄの室外側に取り付けられた気密材１１２ｃ、１１２ｄが設けられている。これら気密材１１２ｃ、１１２ｄにより、ドア１の気密性が確保される。なお、図３に示すように、ドア１は親子ドアであるため、第１ドア本体３ａと第２ドア本体３ｂとの間に設けられた縦桟１１０ｅにも、戸当たり１１１ｅ及び気密材１１２ｅが設けられている。
【００３１】
室外側枠１２０ｃ、１２０ｄそれぞれは、室外側に配置される新設枠である。室外側枠１２０ｃ、１２０ｄそれぞれは、水平方向外側において垂直方向に沿って配置される中空の部材である。室外側枠１２０ｃ、１２０ｄそれぞれは、室内側枠１１０ｃ、１１０ｄそれぞれと離間して配置されるとともに、ブリッジ材１３１ｃ、１３２ｃ、１３１ｄ、１３２ｄにより連結された状態で配置される。また、室外側枠１２０ｃ、１２０ｄそれぞれは、連結金具１５１ｃ、１５２ｃ、１５１ｄ、１５２ｄにより、室内側枠１１０ｃ、１１０ｄそれぞれと連結される。
【００３２】
ブリッジ材１３１ｃ、１３２ｃは、室内側枠１１０ｃと室外側枠１２０ｃとの間に配置され、室内側枠１１０ｃと室外側枠１２０ｃとを互いが離間した状態で連結する。同様に、ブリッジ材１３１ｄ、１３２ｄは、室内側枠１１０ｄと室外側枠１２０ｄとの間に配置され、室内側枠１１０ｄと室外側枠１２０ｄとを互いが離間した状態で連結する。これにより、ドア１（改装用枠体１０）は、優れた断熱構造（断熱機能）を有する。これらブリッジ材１３１ｃ、１３２ｃ、１３１ｄ、１３２ｄは、熱伝導率の低い材料により構成され、例えば、樹脂やゴムにより構成される。
【００３３】
図５に示すように、固定部材１４０ｃ、１４０ｄそれぞれは、室内側枠１１０ｃ、１１０ｄそれぞれを建物Ｈの躯体２０としての柱部材２０１、２０２に固定する。本実施形態において、固定部材１４０ｃ、１４０ｄは、長ネジ部材である。
【００３４】
連結金具１５１ｃ、１５２ｃは、室内側枠１１０ｃと室外側枠１２０ｃとを連結する金属製の部材である。同様に、連結金具１５１ｄ、１５２ｄは、室内側枠１１０ｄと室外側枠１２０ｄとを連結する金属製の部材である。これら連結金具１５１ｃ、１５２ｃ、１５１ｄ、１５２ｄは、ブリッジ材１３１ｃ、１３２ｃ、１３１ｄ、１３２ｄよりも耐熱性が高い部材である。これら連結金具１５１ｃ、１５２ｃ、１５１ｄ、１５２ｄは、各室内側枠と各室外側枠における既設枠体３０側に取り付けられている。つまり、これら連結金具１５１ｃ、１５２ｃ、１５１ｄ、１５２ｄは、改装用枠体１０が取り付けられた状態において、外部から視認できない位置に配置される。
【００３５】
断熱部材１６０ｃは、室内側枠１１０ｃと連結金具１５１ｃ、１５２ｃとの間に配置される。同様に、断熱部材１６０ｄは、室内側枠１１０ｄと連結金具１５１ｄ、１５２ｄとの間に配置される。また、断熱部材１６０ｃは、室内側枠１１０ｃから室外側枠１２０ｃにわたって配置され、断熱部材１６０ｄは、室内側枠１１０ｄから室外側枠１２０ｄにわたって配置される。
【００３６】
また、断熱部材１６０ｃ、１６０ｄそれぞれは、改装用縦枠１０ｃ、１０ｄにおける垂直方向の一端近傍から他端近傍にわたって配置される。より詳しくは、断熱部材１６０ｃは、ブリッジ材１３１ｃ、１３２ｃに沿って上下に延びて配置され、断熱部材１６０ｄは、ブリッジ材１３１ｄ、１３２ｄに沿って上下に延びて配置される。即ち、断熱部材１６０ｃは、連結金具１５１ｃ、１５２ｃが配置されていない領域にも配置され、断熱部材１６０ｄは、連結金具１５１ｄ、１５２ｄが配置されていない領域にも配置される。
【００３７】
なお、断熱部材１６０ｃ、１６０ｄそれぞれの見込み方向の寸法は、図３及び図４に示すように、連結金具１５１ｃ、１５２ｃ、１５１ｄ、１５２ｄが配置されている領域のみ大きく設定されており、該領域ではこれら連結金具１５１ｃ、１５２ｃ、１５１ｄ、１５２ｄとほぼ同等の見込み寸法となっている。
また、本実施形態において、断熱部材１６０ｃ、１６０ｄは、加熱発泡材で構成される。
【００３８】
ネジ用板部材１７１ｃ、１７２ｃは、室外側枠１２０ｃの内部に配置され、ネジ用板部材１７１ｄ、１７２ｄは、室外側枠１２０ｄの内部に配置される。ネジ用板部材１７１ｃ、１７２ｃは、連結金具１５１ｃ、１５２ｃと断熱部材１６０ｃとを室外側枠１２０ｃに取り付けるための複数のネジ部材１７５が螺合する部材である。同様に、ネジ用板部材１７１ｄ、１７２ｄは、連結金具１５１ｄ、１５２ｄと断熱部材１６０ｄとを室外側枠１２０ｄに取り付けるための複数のネジ部材１７５が螺合する部材である。また、これらネジ用板部材１７０ｃ、１７０ｄそれぞれは、複数のネジ部材１７５を螺合させる部材であるとともに、各室外側枠１２０ｃ、１２０ｄの脱離を防止する部材である。
【００３９】
続けて、図５を参照して、ドア１について説明していない箇所について適宜説明する。図５に示すように、既設枠体３０を構成する既設縦枠３０ｃ、３０ｄは、第１縦枠３１ｃ、３１ｄと、第２縦枠３２ｃ、３２ｄと、を有する。第１縦枠３１ｃ、３１ｄは、柱部材２０１、２０２の内側面側に互いに対向して配置される。第２縦枠３２ｃ、３２ｄは、柱部材２０１，２０２における室外側の面に沿って配置される。
【００４０】
室内側額縁材１１４は、梁部材（不図示）及び柱部材２０１、２０２の内側面側に配置される。室内側額縁材１１４は、スペーサ（不図示）を介して梁部材に固定されるとともに、柱部材２０１、２０２に直接固定される。
【００４１】
断熱材１１９は、梁部材及び柱部材２０１、２０２における屋内側に配置される。断熱材１１９と、梁部材及び柱部材２０１、２０２との間には、スペーサ１１５が配置される。
【００４２】
内額縁２５は、改装用枠体１０における室内側に配置される。内額縁２５は、既設枠体３０の一部と、室内側額縁材１１４の一部とを覆うように配置される。内額縁２５は、内額縁内側面２５１と、室内側側面部２５２と、を有する。内額縁２５は、ボルトにより室内側額縁材１１４に固定されている。
【００４３】
外装パネル１１８は、梁部材及び柱部材２０１、２０２の屋外側に配置される。
建具用額縁１１は、室外側に配置され、開口１２の外縁に沿って取り付けられる。建具用額縁１１は、既設の建具用額縁３５、既設枠体３０及び外装パネル１１８の一部（端部側）を覆うように配置される。
【００４４】
また、図５に示すように、本実施形態の改装用枠体１０の改装用縦枠１０ｃ、１０ｄはそれぞれ、各既設縦枠３０ｃ、３０ｄとの間にスペーサ１４１ｃ、１４１ｄを介在させた状態で、ネジ部材１４２ｃ、１４２ｄにより既設の建具用額縁３５に固定される。これにより、既設枠体３０の歪等により生じる改装用枠体１０との隙間を埋めることが可能となっている。
【００４５】
続けて、本実施形態に係る改装用枠体１０の作用について説明する。具体的には、室外側火災時における改装用枠体１０の作用について説明する。
まず、室外側で火災が発生すると、ドア１が室外側から高温加熱される。すると、室内側枠１１０ｃと室外側枠１２０ｃとの間に配置されて室内側枠１１０ｃと室外側枠１２０ｃとを連結するブリッジ材１３１ｃ、１３２ｃが溶融する。同様に、室内側枠１１０ｄと室外側枠１２０ｄとの間に配置されて室内側枠１１０ｄと室外側枠１２０ｄとを連結するブリッジ材１３１ｄ、１３２ｄが溶融する。
【００４６】
このとき、室内側枠１１０ｃ、１１０ｄそれぞれは、固定部材１４０ｃ、１４０ｄにより、躯体２０である柱部材２０１、２０２に固定されているため、建物Ｈから脱離することはない。
これに対して、従来、室外側枠１２０ｃ、１２０ｄそれぞれは、躯体２０に直接固定されていないため、室内側枠１１０ｃ、１１０ｄから脱離するおそれがあった。即ち、これら室外側枠１２０ｃ、１２０ｄは、建物Ｈから脱離するおそれがあった。
【００４７】
ところが本実施形態においては、室外側枠１２０ｃ、１２０ｄそれぞれは、耐熱性を有する連結金具１５１ｃ、１５２ｃ、１５１ｄ、１５２ｄによって、室内側枠１１０ｃ、１１０ｄに連結されているため、室内側枠１１０ｃ、１１０ｄから脱離することがない。ひいては、建物Ｈから脱離することがなく、優れた防火性能を有する。
【００４８】
以上の構成を備える本実施形態に係る改装用枠体１０（改装用建具）は、以下のような効果を奏する。
本実施形態に係る改装用枠体１０は、開口２（建物開口部）に配置された既設枠体３０に重ねて配置される改装用建具である。改装用枠体１０を構成する改装用縦枠１０ｃ、１０ｄは、室内側に配置される室内側枠１１０ｃ、１１０ｄと、室外側に配置される室外側枠１２０ｃ、１２０ｄと、室内側枠１１０ｃ、１１０ｄと室外側枠１２０ｃ、１２０ｄとの間に配置され、室内側枠１１０ｃ、１１０ｄと室外側枠１２０ｃ、１２０ｄとを連結するブリッジ材１３１ｃ、１３２ｃ、１３１ｄ、１３２ｄと、室内側枠１１０ｃ、１１０ｄを建物Ｈの躯体２０に固定する固定部材１４０ｃ、１４０ｄと、室内側枠１１０ｃ、１１０ｄと室外側枠１２０ｃ、１２０ｄとを連結する連結金具１５１ｃ、１５１ｄ、１５２ｃ、１５２ｄと、を備える。
【００４９】
これにより、本実施形態に係る改装用枠体１０によれば、ブリッジ材１３１ｃ、１３２ｃ、１３１ｄ、１３２ｄが溶融した場合であっても、連結金具１５１ｃ、１５１ｄ、１５２ｃ、１５２ｄによって、室内側枠１１０ｃ、１１０ｄと室外側枠１２０ｃ、１２０ｄとの分離を抑制できる。これにより、改装用枠体１０は、火災等でブリッジ材１３１ｃ、１３２ｃ、１３１ｄ、１３２ｄが溶融した場合であっても、室外側枠１２０ｃ、１２０ｄの脱離を抑制できる。即ち、改装用枠体１０は、火災時において、優れた防火性能を発揮し、躯体２０を保護することができる。
【００５０】
また、本実施形態に係る改装用枠体１０では、連結金具１５１ｃ、１５１ｄ、１５２ｃ、１５２ｄは、室内側枠１１０ｃ、１１０ｄと室外側枠１２０ｃ、１２０ｄにおける既設枠体３０側に取り付けられている。
これにより、本実施形態に係る改装用枠体１０は、連結金具１５１ｃ、１５１ｄ、１５２ｃ、１５２ｄが外部に露出していないので、外観を劣化させることなく、室外側枠１２０ｃ、１２０ｄの脱離を抑制できる。      
【００５１】
また、本実施形態に係る改装用枠体１０は、室内側枠１１０ｃ、１１０ｄと、連結金具１５１ｃ、１５１ｄ、１５２ｃ、１５２ｄとの間に配置される断熱部材１６０ｃ、１６０ｄをさらに備える。
これにより、本実施形態に係る改装用枠体１０は、室内側枠１１０ｃ、１１０ｄと室外側枠１２０ｃ、１２０ｄとが連結金具１５１ｃ、１５１ｄ、１５２ｃ、１５２ｄにより連結されていることによる断熱性の低下を抑制できる。
【００５２】
また、本実施形態に係る改装用枠体１０では、断熱部材１６０ｃ、１６０ｄは、加熱発泡材により構成される。
これにより、本実施形態に係る改装用枠体１０は、火災時に既設枠体３０と改装用枠体１０との間の隙間を加熱発泡材で塞ぐことができ、優れた防火性能が得られる。
【００５３】
また、本実施形態に係る改装用枠体１０では、断熱部材１６０ｃ、１６０ｄは、ブリッジ材１３１ｃ、１３２ｃ、１３１ｄ、１３２ｄに沿って配置されている。
これにより、本実施形態に係る改装用枠体１０は、火災時にブリッジ材１３１ｃ、１３２ｃ、１３１ｄ、１３２ｄが溶融することにより生じる室内側枠１１０ｃ、１１０ｄと室外側枠１２０ｃ、１２０ｄとの間の隙間を、加熱発泡材で塞ぐことができ、さらに優れた防火性能が得られる。
【００５４】
なお、本発明は上記実施形態に限定されるものではなく、本発明の目的を達成できる範囲での変形、改良等は本発明に含まれる。
上記実施形態では、建具は玄関等の室外と室内との間に配置されるドアであるが、これに限定されず、建具は、室内に配置されるドアであってもよい。また、建具は、ドアに限定されず、例えば、窓であってもよい。この場合、改装用枠体（改装用建具）は、窓のリフォームにおいて利用される。
【符号の説明】
【００５５】
２…開口（建物開口部）
１０…改装用枠体（改装用建具）
１０ｃ、１０ｄ…改装用縦枠
２０…躯体
３０…既設枠体（既設枠）
１１０ｃ、１１０ｄ…室内側枠
１２０ｃ、１２０ｄ…室外側枠
１３１ｃ、１３１ｄ、１３２ｃ、１３２ｄ…ブリッジ材
１４０ｃ、１４０ｄ…固定部材
１５１ｃ、１５１ｄ、１５２ｃ、１５２ｄ…連結金具
１６０ｃ、１６０ｄ…断熱部材
Ｈ…建物
【図１】
0006716248.tif 000002
【図２】
0006716248.tif 000003
【図３】
0006716248.tif 000004
【図４】
0006716248.tif 000005
【図５】
0006716248.tif 000006